(57)【要約】【課題】災害が発生したときに、利用者による特別な動作を要することなく利用者の安否情報をグループで共有することができる技術を提供する。【解決手段】本発明の災害情報共有システムは、災害が発生すると、予め登録された携帯端末に災害発生エリアを含む災害情報を配信する、災害情報管理サーバと、前記災害情報管理サーバから前記災害情報を受信すると、ＧＰＳ機能を利用して携帯端末の現在位置を示す端末位置情報を作成し、該災害情報および該端末位置情報から所定の基準によって利用者の安否状況を判別して携帯端末の利用者の安否状況を示す安否情報を作成し、該安否情報および該端末位置情報を共有する携帯端末のグループを示す情報共有グループに属する携帯端末に該安否情報および該端末位置情報を通知する、複数の携帯端末を有する。【選択図】図１
2010263562.tif 000002
【特許請求の範囲】
【請求項１】
災害が発生すると、予め登録された携帯端末に災害発生エリアを含む災害情報を配信する、災害情報管理サーバと、
前記災害情報管理サーバから前記災害情報を受信すると、ＧＰＳ機能を利用して携帯端末の現在位置を示す端末位置情報を作成し、該災害情報および該端末位置情報から所定の基準によって利用者の安否状況を判別して携帯端末の利用者の安否状況を示す安否情報を作成し、該安否情報および該端末位置情報を共有する携帯端末のグループを示す情報共有グループに属する携帯端末に該安否情報および該端末位置情報を通知する、複数の携帯端末と、
を有する、災害情報共有システム。
【請求項２】
前記携帯端末は、前記情報共有グループを予め保持しており、前記安否情報および前記端末位置情報を前記情報共有グループに属する携帯端末に直接送信する、請求項１に記載の災害情報共有システム。
【請求項３】
前記携帯端末は、前記災害情報を受信すると、前記安否状況を継続的に監視し、該安否状況が変化する毎に、前記安否情報および前記端末位置情報を前記情報共有グループに属する携帯端末に送信する、請求項２に記載の災害情報共有システム。
【請求項４】
前記情報共有グループを予め保持しており、前記携帯端末から前記安否情報および前記端末位置情報を受信すると、該情報共有グループに基づいて、該携帯端末のグループに属する携帯端末を抽出し、抽出した該携帯端末に、該安否情報および該端末位置情報を送信する、安否情報管理サーバをさらに有し、
前記携帯端末は、前記災害情報を受信すると、前記安否情報および前記端末位置情報を前記安否情報管理サーバに送信する、請求項１に記載の災害情報共有システム。
【請求項５】
前記携帯端末は、前記災害情報を受信すると、前記安否状況を継続的に監視し、該安否状況が変化する毎に、前記安否情報および前記端末位置情報を前記安否情報管理サーバに送信し、
前記安否情報管理サーバは、いずれかの前記携帯端末から受信した前記安否情報により示される前記安否状況が変化する毎に、前記安否情報および前記端末位置情報を前記情報共有グループから抽出した前記携帯端末に送信する、請求項４に記載の災害情報共有システム。
【請求項６】
前記安否情報管理サーバは、前記安否情報および前記端末位置情報を前記情報共有グループから抽出した前記携帯端末に送信するとき、該情報共有グループに属する全ての携帯端末の最新の安否情報および端末位置情報を集約して送信する、請求項４または５に記載の災害情報共有システム。
【請求項７】
前記所定の基準では、災害発生エリア内が危険領域とみなされ、前記携帯端末が危険領域に存在する場合、利用者は危険状態であると判別され、前記携帯端末が危険領域外に存在する場合、利用者は安全状態であると判別される、請求項１から６のいずれか１項に記載の災害情報共有システム。
【請求項８】
前記所定の基準では、前記携帯端末が危険領域に存在していても、危険領域外に向かって移動していれば、利用者は安全状態であると判別される、請求項７に記載の災害情報共有システム。
【請求項９】
前記災害情報管理サーバから配信される前記災害情報には、前記災害発生エリア内にある、利用者が避難すべき避難場所の情報が含まれており、
前記所定の基準では、前記避難場所が危険領域から除外される、請求項７または８に記載の災害情報共有システム。
【請求項１０】
災害情報管理サーバは、災害が発生したときに災害発生エリアを含む災害情報を配信すべき携帯端末の情報を予め保持しており、
災害が発生すると、前記災害情報管理サーバは、予め登録された携帯端末に前記災害情報を配信し、
前記携帯端末が、
前記災害情報管理サーバから前記災害情報を受信すると、ＧＰＳ機能を利用して携帯端末の現在位置を示す端末位置情報を作成し、
前記災害情報および前記端末位置情報から所定の基準によって利用者の安否状況を判別して携帯端末の利用者の安否状況を示す安否情報を作成し、
該安否情報および該端末位置情報を共有する携帯端末のグループを示す情報共有グループに属する携帯端末に該安否情報および該端末位置情報を通知する、
災害情報共有方法。
【請求項１１】
前記携帯端末が、
前記情報共有グループを予め保持しており、
前記安否情報および前記端末位置情報を前記情報共有グループに属する携帯端末に直接送信する、請求項１０に記載の災害情報共有方法。
【請求項１２】
前記携帯端末が、
前記災害情報を受信すると、前記安否状況を継続的に監視し、該安否状況が変化する毎に、前記安否情報および前記端末位置情報を前記情報共有グループに属する携帯端末に送信する、請求項１１に記載の災害情報共有方法。
【請求項１３】
安否情報管理サーバは、前記情報共有グループを予め保持しており、
前記携帯端末が、前記災害情報を受信すると、前記安否情報および前記端末位置情報を前記安否情報管理サーバに送信し、
前記安否情報管理サーバが、前記携帯端末から前記安否情報および前記端末位置情報を受信すると、前記情報共有グループに基づいて、該携帯端末のグループに属する携帯端末を抽出し、抽出した該携帯端末に、該安否情報および該端末位置情報を送信する、請求項１０に記載の災害情報共有方法。
【請求項１４】
前記携帯端末が、前記災害情報を受信すると、前記安否状況を継続的に監視し、該安否状況が変化する毎に、前記安否情報および前記端末位置情報を前記安否情報管理サーバに送信し、
前記安否情報管理サーバが、いずれかの前記携帯端末から受信した前記安否情報により示される前記安否状況が変化する毎に、前記安否情報および前記端末位置情報を前記情報共有グループから抽出した前記携帯端末に送信する、請求項１３に記載の災害情報共有方法。
【請求項１５】
前記安否情報管理サーバが、前記安否情報および前記端末位置情報を前記情報共有グループから抽出した前記携帯端末に送信するとき、該情報共有グループに属する全ての携帯端末の最新の安否情報および端末位置情報を集約して送信する、請求項１３または１４に記載の災害情報共有方法。
【請求項１６】
前記所定の基準では、災害発生エリア内が危険領域とみなされ、前記携帯端末が危険領域に存在する場合、利用者は危険状態であると判別され、前記携帯端末が危険領域外に存在する場合、利用者は安全状態であると判別される、請求項１０から１５のいずれか１項に記載の災害情報共有方法。
【請求項１７】
前記所定の基準では、前記携帯端末が危険領域に存在していても、危険領域外に向かって移動していれば、利用者は安全状態であると判別される、請求項１６に記載の災害情報共有方法。
【請求項１８】
前記災害情報管理サーバから配信される前記災害情報には、前記災害発生エリア内にある、利用者が避難すべき避難場所の情報が含まれており、
前記所定の基準では、前記避難場所が危険領域から除外される、請求項１６または１７に記載の災害情報共有方法。
【請求項１９】
災害が発生すると、予め登録された携帯端末に災害発生エリアを含む災害情報を配信する、災害情報管理サーバを有する災害情報共有システムで用いられる携帯端末であって、
前記災害情報管理サーバから前記災害情報を受信すると、ＧＰＳ機能を利用して携帯端末の現在位置を示す端末位置情報を作成する位置情報生成部と、
該災害情報および該端末位置情報から所定の基準によって利用者の安否状況を判別して携帯端末の利用者の安否状況を示す安否情報を作成する安否情報生成部と、
前記安否情報および前記端末位置情報を共有する携帯端末のグループに属する携帯端末に該安否情報および該端末位置情報を通知する、通知部と、
を有する携帯端末。
【発明の詳細な説明】
【技術分野】
【０００１】
本発明は、ＧＰＳ機能を有する携帯端末による、災害発生時の情報共有方法に関する。
【背景技術】
【０００２】
地震や台風等の災害が発生したときに、家族や友人等の安否状況および現在位置をお互いに確認しあうことはきわめて重要なことである。しかし、被災している本人は、混乱してしまい、冷静に状況を把握することができなかったり、身の安全の確保を優先するために、家族や友人等への連絡を後回しにしたりする場合が多い。
【０００３】
家族や友人等の安否を確認するために、さまざまな技術が提案されている。例えば、特許文献１では、地震や台風等の災害が発生したときに、携帯端末のＧＰＳ（Global Positioning System）機能を利用して自端末の現在位置の情報を取得し、取得した情報をグループで共有することにより家族や友人等の安否を確認する方法が提案されている。
【先行技術文献】
【特許文献】
【０００４】
【特許文献１】特開２００３−４８３７号公報
【発明の概要】
【発明が解決しようとする課題】
【０００５】
特許文献１に開示された方法では、安否情報を発信するために、利用者が、情報を共有するグループで定めた合言葉を携帯端末に入力して携帯端末を無事発信モードに設定した後、「無事」ボタンを押下する必要がある。
【０００６】
本発明の目的は、災害が発生したときに、利用者による特別な動作を要することなく利用者の安否情報をグループで共有することができる技術を提供することである。
【課題を解決するための手段】
【０００７】
上記目的を達成するために、本発明の災害情報共有システムは、災害が発生すると、予め登録された携帯端末に災害発生エリアを含む災害情報を配信する、災害情報管理サーバと、前記災害情報管理サーバから前記災害情報を受信すると、ＧＰＳ機能を利用して携帯端末の現在位置を示す端末位置情報を作成し、該災害情報および該端末位置情報から所定の基準によって利用者の安否状況を判別して携帯端末の利用者の安否状況を示す安否情報を作成し、該安否情報および該端末位置情報を共有する携帯端末のグループを示す情報共有グループに属する携帯端末に該安否情報および該端末位置情報を通知する、複数の携帯端末を有する。
【０００８】
また、上記目的を達成するために、本発明の災害情報共有方法は、災害情報管理サーバが、災害が発生したときに災害発生エリアを含む災害情報を配信すべき携帯端末の情報を予め保持しており、災害が発生すると、前記災害情報管理サーバが、予め登録された携帯端末に前記災害情報を配信し、前記携帯端末が、前記災害情報管理サーバから前記災害情報を受信すると、ＧＰＳ機能を利用して携帯端末の現在位置を示す端末位置情報を作成し、前記災害情報および前記端末位置情報から所定の基準によって利用者の安否状況を判別して携帯端末の利用者の安否状況を示す安否情報を作成し、該安否情報および該端末位置情報を共有する携帯端末のグループを示す情報共有グループに属する携帯端末に該安否情報および該端末位置情報を通知する。
【０００９】
また、上記目的を達成するために、本発明の携帯端末は、災害が発生すると、予め登録された携帯端末に災害発生エリアを含む災害情報を配信する、災害情報管理サーバを有する災害情報共有システムで用いられる携帯端末であって、前記災害情報管理サーバから前記災害情報を受信すると、ＧＰＳ機能を利用して携帯端末の現在位置を示す端末位置情報を作成する位置情報生成部と、該災害情報および該端末位置情報から所定の基準によって利用者の安否状況を判別して携帯端末の利用者の安否状況を示す安否情報を作成する安否情報生成部と、前記安否情報および前記端末位置情報を共有する携帯端末のグループに属する携帯端末に該安否情報および該端末位置情報を通知する、通知部を有する。
【発明の効果】
【００１０】
本発明によれば、災害情報共有システムは、災害が発生したときに、利用者による特別な動作を要することなく利用者の安否情報をグループで共有することができる。
【図面の簡単な説明】
【００１１】
【図１】第１の実施の形態の災害情報共有システムの構成を示すブロック図である。
【図２】第１の実施の形態の携帯端末の構成を示すブロック図である。
【図３】図１に示した携帯端末１１が災害情報管理サーバ２から災害情報を受信したときの携帯端末１１の処理を示すフローチャートである。
【図４】利用者の避難場所への移動を示す図である。
【図５】利用者の避難場所への移動を示す図である。
【図６】図１に示した災害情報共有システムにおいて災害が発生したときの、災害情報通知装置１と災害情報管理サーバ２と携帯端末１１〜１３との間のシーケンスを示す図である。
【図７】第２の実施の形態の災害情報共有システムの構成を示すブロック図である。
【図８】第２の実施の形態の災害情報共有システムにおいて災害が発生したときの、災害情報通知装置１と災害情報管理サーバ２と安否情報管理サーバ５と携帯端末１１〜１３との間のシーケンスを示す図である。
【発明を実施するための形態】
【００１２】
次に本発明について図面を参照して詳細に説明する。
【００１３】
（第１の実施の形態）
本実施形態の災害情報共有システムでは、災害が発生すると、災害情報管理サーバが、登録された携帯端末に災害発生エリアを通知する。利用者が所持する携帯端末は、ＧＰＳ機能を用いて自端末の現在位置を測位し、自端末の現在位置と災害発生エリアとから利用者が安全な状態であるか否かを判別する。そして、携帯端末は、利用者の安否状況と現在位置を家族や友人等の携帯端末に自端末の現在位置および安否状況を自動的に通知する。
【００１４】
図１は第１の実施の形態の災害情報共有システムの構成を示すブロック図である。
【００１５】
図１に示すように、第１の実施の形態の災害情報共有システムは、災害情報通知装置１、災害情報管理サーバ２、無線基地局３、ＧＰＳ衛星４および携帯端末１１〜１３を有する。
【００１６】
災害情報通知装置１は、地震や台風等の災害が発生すると、災害が発生したことを示す災害情報を災害情報管理サーバ２に送信する。尚、災害情報には、災害発生エリアや利用者が避難すべき避難場所等の情報が含まれている。災害情報通知装置１の例として、気象庁から受信した情報を同報配信するＣＢＣ（Cell Broadcast Center）がある。
【００１７】
災害情報管理サーバ２は、災害情報通知装置１から災害情報を受信する。災害情報管理サーバ２には、災害が発生したときに災害情報を送信すべき携帯端末が予め登録されている。災害情報管理サーバ２は、災害情報通知装置１から災害情報を受信すると、その災害情報を、無線基地局３を介して、登録されている全ての携帯端末に送信する。
【００１８】
尚、災害情報管理サーバ２への携帯端末の登録は、システム管理者が一括して行うようにしてもよいし、プライバシー保護の観点から利用者が直接行うようにしてもよい。
【００１９】
無線基地局３は、携帯端末と直接通信する基地局である。
【００２０】
ＧＰＳ衛星４は、ＧＰＳ受信機が現在位置を測位するために用いる電波を発信する、ＧＰＳで用いられる衛星である。
【００２１】
携帯端末１１〜１３は、携帯電話やＰＨＳ（Personal Handyphone System）などのような通信端末である。尚、携帯端末１１〜１３の構成および動作はそれぞれ同じであるため、以下、代表して携帯端末１１の構成および動作について説明する。
【００２２】
携帯端末１１は、ＧＰＳ受信機の機能を有し、その機能を用いて自端末の現在位置を測位する。
【００２３】
携帯端末１１は、災害情報管理サーバ２から無線基地局３を介して災害情報を受信する。携帯端末１１は、災害情報を受信すると、自端末の現在位置から利用者の安否状況を判別する。携帯端末１１には、自端末を所持する利用者の安否状況を示す安否情報および自端末の現在位置を示す端末位置情報を共有する携帯端末のグループを示す情報共有グループが予め登録されている。携帯端末１１は、登録された情報共有グループに属する携帯端末に安否情報および端末位置情報を送信する。
【００２４】
また、携帯端末１１は、他の携帯端末から安否情報および端末位置情報を受信すると、受信した情報を利用者に表示する。
【００２５】
図２は第１の実施の形態の携帯端末の構成を示すブロック図である。
【００２６】
図２に示すように、第１の実施の形態の携帯端末は、位置情報生成部２０、安否情報生成部２１、通知部２２、表示部２３およびデータベース２４を有する。
【００２７】
位置情報生成部２０は、複数のＧＰＳ衛星が発信する電波を受信し、受信した電波を用いて自端末の現在位置を測位し、端末位置情報を作成する。
【００２８】
位置情報生成部２０は、災害情報管理サーバ２から無線基地局３を介して災害情報を受信すると、受信した災害情報および自身が作成した端末位置情報を安否情報生成部２１に送信する。
【００２９】
安否情報生成部２１は、位置情報生成部２０から災害情報および端末位置情報を受信する。安否情報生成部２１は、災害情報および端末位置情報を受信すると、受信した災害情報と端末位置情報とから利用者の安否状況を判別する。安否情報生成部２１は、利用者の安否状況を示す安否情報を作成し、端末位置情報とあわせて、通知部２２に通知する。
【００３０】
通知部２２は、利用者から情報共有グループの登録を受け付け、登録された情報共有グループをデータベース２４に格納する。
【００３１】
通知部２２は、安否情報生成部２１から安否情報および端末位置情報を受信すると、受信した安否情報および端末位置情報を登録された情報共有グループに属する携帯端末に送信する。
【００３２】
表示部２３は、他の携帯端末から安否情報および端末位置情報を受信すると、受信した情報を利用者に表示する。尚、携帯端末毎に受信した安否情報および端末位置情報を表示するか否かが設定され、表示しない設定になっている場合、表示部２３は、受信した安否情報および端末位置情報を破棄する。
【００３３】
データベース２４は、情報共有グループおよび他の携帯端末から受信した安否情報および端末位置情報を表示するか否かの設定を記憶するデータベースである。
【００３４】
次に図１に示した携帯端末１１が災害情報管理サーバ２から災害情報を受信したときの携帯端末１１の処理について説明する。
【００３５】
図３は図１に示した携帯端末１１が災害情報管理サーバ２から災害情報を受信したときの携帯端末１１の処理を示すフローチャートである。
【００３６】
携帯端末１１の位置情報生成部２０は、災害情報管理サーバ２から災害情報を受信するまで待機する（ステップＳ１）。
【００３７】
位置情報生成部２０は、災害情報を受信すると、ＧＰＳ機能を利用して自端末の現在位置を示す端末位置情報を作成する（ステップＳ２）。尚、位置情報生成部２０は、ＧＰＳ機能を利用して自端末の現在位置を定期的に測位している。位置情報生成部２０は、災害情報を受信すると、あらためて自端末の現在位置を測位して端末位置情報を作成するようにしてもよいし、定期的に測位している現在位置を用いて端末位置情報を作成するようにしてもよい。位置情報生成部２０は、端末位置情報を作成すると、災害情報管理サーバ２から受信した災害情報および自身が作成した端末位置情報を安否情報生成部２１に送信する。
【００３８】
安否情報生成部２１は、位置情報生成部２０から災害情報および端末位置情報を受信すると、受信した災害情報と端末位置情報とから利用者の安否状況を判別する。安否情報生成部２１は、災害情報に含まれる災害発生エリア内を危険領域とみなし、災害発生エリア内の避難場所あるいは災害発生エリア外を安全領域とみなす。安否情報生成部２１は、自端末が危険領域に位置する場合、利用者が危険状態であると判別し、自端末が安全領域に位置する場合、利用者が安全状態であると判別する。
【００３９】
安否情報生成部２１は、利用者の安否状況を判別すると、利用者の安否状況を示す安否情報を作成する（ステップＳ３）。安否情報生成部２１は、安否情報を作成すると、位置情報生成部２０から受信した端末位置情報および自身が作成した安否情報を通知部２２に送信する。
【００４０】
通知部２２は、安否情報および端末位置情報を情報共有グループに属する携帯端末に所定のタイミングで送信する。
【００４１】
まず、通知部２２は、情報共有グループに属する携帯端末に一度でも安否情報および端末位置情報を送信したか否かを判別する（ステップＳ４）。情報共有グループに属する携帯端末にまだ一度も安否情報および端末位置情報を送信していない場合、通知部２２は、情報共有グループに属する携帯端末に安否情報および端末位置情報を送信する（ステップＳ７）。
【００４２】
一方、情報共有グループに属する携帯端末に一度でも安否情報および端末位置情報を送信している場合、通知部２２は、前回送信した安否情報に対して利用者の安否状況に変化があったか否かを判別する（ステップＳ５）。前回送信した安否情報に対して利用者の安否状況に変化があった場合、通知部２２は、情報共有グループに属する携帯端末に安否情報および端末位置情報を送信する（ステップＳ７）。これにより、図４に示すように、利用者が避難場所に到着したとき等に、携帯端末は、その旨を即時に情報共有グループに属する携帯端末に送信することができる。
【００４３】
前回送信した安否情報に対して利用者の安否状況に変化がない場合、通知部２２は、前回安否情報を送信してから所定時間経過したか否かを判別する（ステップＳ６）。前回安否情報を送信してから所定時間経過した場合、通知部２２は、情報共有グループに属する携帯端末に安否情報および端末位置情報を送信する（ステップＳ７）。これにより、携帯端末は、安否情報および端末位置情報を定期的に情報共有グループに送信することができる。
【００４４】
安否情報および端末位置情報を送信した場合、あるいは、送信する必要がないと判別した場合、通知部２２は、通知処理を終了するか否かを判別する（ステップＳ８）。
【００４５】
通知処理を終了する場合、ステップＳ１へ移行し、再度、位置情報生成部２０が災害情報を受信するまで待機する。一方、通知処理を終了しない場合、ステップＳ２へ移行し、再度、安否情報および端末位置情報の通知処理を繰り返す。
【００４６】
尚、通知処理を終了するタイミングは、災害情報共有システムの運用に応じて異なる。例えば、利用者からの要求によって通知処理を終了するようにしてもよいし、利用者が安全である旨を情報共有グループに属する全ての携帯端末に送信した場合に通知処理を終了するようにしてもよい。
【００４７】
次に図１に示した災害情報共有システムにおいて災害が発生したときの処理について説明する。
【００４８】
図６は図１に示した災害情報共有システムにおいて災害が発生したときの、災害情報通知装置１と災害情報管理サーバ２と携帯端末１１〜１３との間のシーケンスを示す図である。
【００４９】
まず、災害情報管理サーバ２に、災害が発生したときに災害情報を送信する携帯端末として、携帯端末１１〜１３が予め登録されている。また、携帯端末１１〜１３に、各携帯端末の安否情報や位置情報を共有する情報共有グループとして、携帯端末１１〜１３が予め登録されている。
【００５０】
災害情報通知装置１は、地震や台風等の災害が発生すると、災害が発生した旨、災害発生エリアおよび避難場所等を示した災害情報を災害情報管理サーバ２に送信する（ステップＳ１１）。
【００５１】
災害情報通知装置１から災害情報を受信すると、災害情報管理サーバ２は、受信した災害情報を、無線基地局３を介して携帯端末１１〜１３に送信する（ステップＳ１２）。
【００５２】
災害情報管理サーバ２から災害情報を受信すると、携帯端末１１は、ＧＰＳ機能を用いて端末位置情報を作成する。そして、携帯端末１１は、災害情報と端末位置情報から利用者の安否状況を判別し、利用者の安否状況を示す安否情報を作成する。
【００５３】
安否情報を作成すると、携帯端末１１は、安否情報および端末位置情報を携帯端末１２、１３に送信する（ステップＳ１３）。
【００５４】
携帯端末１１から安否情報および端末位置情報を受信すると、携帯端末１２、１３は、受信した安否情報および端末位置情報を利用者に表示する。
【００５５】
また、携帯端末１１は、常時、安否情報および端末位置情報を更新し、前回安否情報および端末位置情報を送信してから所定時間経過すると、最新の安否情報および端末位置情報を携帯端末１２、１３に送信する（ステップＳ１４）。
【００５６】
さらに、携帯端末１１は、自端末の安否情報に変化があると、前回安否情報および端末位置情報を送信してから所定時間経過していなくても、安否情報および端末位置情報を携帯端末１２、１３に送信する（ステップＳ１５）。
【００５７】
その後も、携帯端末１１は、常時、安否情報および端末位置情報を更新し、前回安否情報および端末位置情報を送信してから所定時間経過すると、最新の安否情報および端末位置情報を携帯端末１２、１３に送信する（ステップＳ１６）。
【００５８】
携帯端末１２、１３は、携帯端末１１から安否情報および端末位置情報を受信するたびに、表示している安否情報および端末位置情報を更新する。
【００５９】
また、携帯端末１２、１３の処理も携帯端末１１の処理と同様である。携帯端末１２は、自端末の安否情報および端末位置情報を作成し、携帯端末１１、１３に送信する。携帯端末１３は、自端末の安否情報および端末位置情報を作成し、携帯端末１１、１２に送信する。他端末の安否情報および端末位置情報を受信した携帯端末は、受信した安否情報および端末位置情報を利用者に表示する。
【００６０】
以上説明したように、本実施形態によれば、災害が発生したときに、利用者が所持する携帯端末が、自端末の現在位置と災害発生エリアとから利用者が安全な状態であるか否かを判別し、利用者の安否状況と現在位置を予め登録された情報共有グループに属する携帯端末に自動的に通知する。これにより、災害情報共有システムでは、利用者による特別な動作を要することなく利用者の安否状況および現在位置をグループで共有することができ、利用者は、家族や友人等の安否状況および現在位置をお互いに確認しあうことができる。
【００６１】
尚、本実施の形態では、携帯端末は、自端末が危険領域にいる場合、利用者は危険状態であると判別する例を示したが、本発明は、これに限定されるものではない。
【００６２】
例えば、自端末が災害発生エリア内に位置していても、災害情報を受信した直後と比較して災害発生エリア外や避難場所に近づいている場合は、利用者が安全領域に向かって移動していると推定し、既に利用者は安全状態であると判別するようにしてもよい。これにより、図５に示すように、利用者が避難場所に向かって移動しているような場合に、その利用者が安全な状態であることを情報共有グループのメンバに通知することができる。
【００６３】
（第２の実施の形態）
第１の実施の形態では、携帯端末が、自端末の安否情報および端末位置情報を、直接、情報共有グループに属する携帯端末に送信する例を示した。本発明は、これに限定されるものではなく、例えば、各携帯端末の安否情報および端末位置情報を一元管理する安否情報管理サーバを設置するようにしてもよい。この場合、各携帯端末は、それぞれの安否情報および端末位置情報を安否情報管理サーバに送信し、安否情報管理サーバが、各携帯端末の情報を集約し、情報共有グループに属する携帯端末へ送信する。第２の実施の形態では、安否情報管理サーバが各携帯端末の安否情報および端末位置情報を送信する例を示す。
【００６４】
図７は第２の実施の形態の災害情報共有システムの構成を示すブロック図である。
【００６５】
図７に示すように、第２の実施の形態の災害情報共有システムは、第１の実施の形態の災害情報共有システムに加えて安否情報管理サーバ５を有する。
【００６６】
第２の実施の形態の災害情報通知装置１、災害情報管理サーバ２、無線基地局３、ＧＰＳ衛星４および携帯端末１１〜１３の基本的な構成は、第１の実施の形態の災害情報共有システムおよび携帯端末の構成と同じである。但し、各携帯端末は、それぞれの安否情報および端末位置情報を、情報共有グループに属する携帯端末ではなく、安否情報管理サーバ５に送信する。
【００６７】
安否情報管理サーバ５には、各携帯端末の安否情報および端末位置情報を共有する情報共有グループが予め登録されている。尚、安否情報管理サーバ５への情報共有グループの登録は、システム管理者が一括して行うようにしてもよいし、プライバシー保護の観点から利用者が直接行うようにしてもよい。
【００６８】
安否情報管理サーバ５は、情報共有グループに属する各携帯端末の情報を集約し、全ての携帯端末の安否情報および端末位置情報を各携帯端末へ送信する。
【００６９】
次に第２の実施の形態の災害情報共有システムにおいて災害が発生したときの処理について説明する。
【００７０】
図７は第２の実施の形態の災害情報共有システムにおいて災害が発生したときの、災害情報通知装置１と災害情報管理サーバ２と安否情報管理サーバ５と携帯端末１１〜１３との間のシーケンスを示す図である。
【００７１】
まず、災害情報管理サーバ２に、災害が発生したときに災害情報を送信する携帯端末として、携帯端末１１〜１３が予め登録されている。また、安否情報管理サーバ５に、各携帯端末の安否情報や位置情報を共有する情報共有グループとして、携帯端末１１〜１３が予め登録されている。
【００７２】
災害情報通知装置１は、地震や台風等の災害が発生すると、災害情報を災害情報管理サーバ２に送信する（ステップＳ２１）。
【００７３】
災害情報通知装置１から災害情報を受信すると、災害情報管理サーバ２は、受信した災害情報を、無線基地局３を介して携帯端末１１〜１３に送信する（ステップＳ２２）。
【００７４】
災害情報管理サーバ２から災害情報を受信すると、携帯端末１１〜１３は、それぞれ、ＧＰＳ機能を用いて端末位置情報を作成する。そして、携帯端末１１〜１３は、災害情報と端末位置情報から利用者の安否状況を判別し、利用者の安否状況を示す安否情報を作成する。
【００７５】
安否情報を作成すると、携帯端末１１〜１３は、それぞれ、安否情報および端末位置情報を安否情報管理サーバ５に送信する（ステップＳ２３）。
【００７６】
携帯端末１１〜１３から安否情報および端末位置情報を受信すると、安否情報管理サーバ５は、携帯端末１１〜１３の安否情報および端末位置情報を集約し、携帯端末１１〜１３に送信する（ステップＳ２４）。安否情報管理サーバ５から全ての携帯端末の安否情報および端末位置情報を受信すると、携帯端末１１〜１３は、受信した安否情報および端末位置情報を利用者に表示する。
【００７７】
また、携帯端末１１〜１３は、それぞれ、常時、安否情報および端末位置情報を更新し、前回安否情報および端末位置情報を送信してから所定時間経過すると、最新の安否情報および端末位置情報を安否情報管理サーバ５に送信する（ステップＳ２５）。
【００７８】
安否情報管理サーバ５は、常時、携帯端末１１〜１３から最新の安否情報および端末位置情報を受け付け、自身が前回安否情報および端末位置情報を送信してから所定時間経過すると、最新の安否情報および端末位置情報を携帯端末１１〜１３に送信する（ステップＳ２６）。
【００７９】
さらに、情報共有グループに属する携帯端末のうちの一台の安否情報に変化があると、その携帯端末は、前回安否情報および端末位置情報を送信してから所定時間経過していなくても、安否情報および端末位置情報を安否情報管理サーバ５に送信する（ステップＳ２７）。安否情報管理サーバ５は、受信した安否情報を、過去の安否情報と比較し、変化があると認識すると、他の携帯端末の安否情報および端末位置情報を含めて最新の安否情報および端末位置情報を携帯端末１１〜１３に送信する（ステップＳ２８）。
【００８０】
その後も、携帯端末１１〜１３は、それぞれ、常時、安否情報および端末位置情報を更新し、前回安否情報および端末位置情報を送信してから所定時間経過すると、最新の安否情報および端末位置情報を安否情報管理サーバ５に送信する（ステップＳ２９）。
【００８１】
安否情報管理サーバ５も、常時、携帯端末１１〜１３から最新の安否情報および端末位置情報を受け付け、自身が前回安否情報および端末位置情報を送信してから所定時間経過すると、最新の安否情報および端末位置情報を携帯端末１１〜１３に送信する（ステップＳ３０）。
【００８２】
携帯端末１１〜１３は、安否情報管理サーバ５から安否情報および端末位置情報を受信するたびに、表示している安否情報および端末位置情報を更新する。
【００８３】
以上説明したように、本実施形態によれば、安否情報管理サーバが、各携帯端末の安否情報および端末位置情報を集約して情報共有グループに属する各携帯端末へ送信する。これにより、各携帯端末間での通信量を抑えることができ、災害情報共有システムが使用するネットワークの負荷を下げることができる。また、各携帯端末の安否情報および端末位置情報を一元的に管理することができ、各情報の履歴管理等が容易になる。
【００８４】
尚、本実施の形態では、災害情報共有システムが災害情報管理サーバと安否情報管理サーバを有する例を示したが、本発明は、これに限定されるものではなく、例えば、災害情報管理サーバに安否情報管理サーバの機能を実装し、安否情報管理サーバを省略するようにしてもよい。
【符号の説明】
【００８５】
１  災害情報通知装置
２  災害情報管理サーバ
３  無線基地局
４  ＧＰＳ衛星
５  安否情報管理サーバ
１１〜１３  携帯端末
２０  位置情報生成部
２１  安否情報生成部
２２  通知部
２３  表示部
２４  データベース
【図１】
2010263562.tif 000003
【図２】
2010263562.tif 000004
【図３】
2010263562.tif 000005
【図４】
2010263562.tif 000006
【図５】
2010263562.tif 000007
【図６】
2010263562.tif 000008
【図７】
2010263562.tif 000009
【図８】
2010263562.tif 000010